(57)【要約】【課題】顔写真付きのＩＤカードの発行を促す。【解決手段】ＩＤカード作成システムは、印画物作成装置１及びサーバ２を備える。印画物作成装置１は、利用者から識別情報の入力を受け付け、前記利用者を撮影して顔画像を生成し、前記顔画像及び前記識別情報をサーバ２へ送信し、サーバ２から受信した特典画像を印画物にプリントして出力する。サーバ２は、登録会員の氏名及び会員番号を含む会員情報を保存し、前記特典画像を印画物作成装置１へ送信し、印画物作成装置１から前記顔画像及び前記識別情報を受信すると、前記顔画像を、前記識別情報に対応する会員情報に紐付けて保存し、前記顔画像及び前記会員情報を用いてＩＤカード用画像を生成する。【選択図】図１
2019023807.tif 000002
【特許請求の範囲】
【請求項１】
利用者を撮影する印画物作成装置及びサーバを備えるＩＤカード作成システムであって、
前記印画物作成装置は、利用者から識別情報の入力を受け付け、前記利用者を撮影して顔画像を生成し、前記顔画像及び前記識別情報を前記サーバへ送信し、前記サーバから受信した特典画像を印画物にプリントして出力し、
前記サーバは、登録会員の氏名及び会員番号を含む会員情報を保存し、前記特典画像を前記印画物作成装置へ送信し、前記印画物作成装置から前記顔画像及び前記識別情報を受信すると、前記顔画像を、前記識別情報に対応する会員情報に紐付けて保存し、前記顔画像及び前記会員情報を用いてＩＤカード用画像を生成することを特徴とするＩＤカード作成システム。
【請求項２】
前記印画物作成装置は、入力された識別情報を前記サーバへ送信し、
前記サーバは、前記印画物作成装置から前記識別情報を受信すると、前記会員情報を用いて正規の識別情報であるか否か判定し、正規の識別情報である場合、前記特典画像を前記印画物作成装置へ送信することを特徴とする請求項１に記載のＩＤカード作成システム。
【請求項３】
前記印画物作成装置は、利用者から非会員用の会員登録モードの選択を受け付けると、前記サーバに対して仮会員番号を要求し、前記サーバから仮会員番号及び前記特典画像を受信し、前記利用者を撮影して顔画像を生成し、前記顔画像及び前記識別情報を前記サーバへ送信し、前記サーバから受信した特典画像を印画物にプリントして出力し、
前記サーバは前記印画物作成装置からの要求に応じて前記仮会員番号を生成し、前記印画物作成装置から受信した前記顔画像及び前記仮会員番号を対応付けて保存することを特徴とする請求項１又は２に記載のＩＤカード作成システム。
【請求項４】
前記サーバは、ユーザ端末から前記仮会員番号及び前記利用者の氏名を含む本人情報と共に会員登録要求を受け付けると、前記仮会員番号に対応する前記顔画像と前記本人情報とを用いてＩＤカード用画像を生成することを特徴とする請求項３に記載のＩＤカード作成システム。
【請求項５】
印画物作成装置が利用者から識別情報の入力を受け付け、前記識別情報をサーバへ送信し、
登録会員の氏名及び会員番号を含む会員情報を保存する前記サーバが、前記会員情報を用いて、前記印画物作成装置から受信した前記識別情報が正規の識別情報であるか否か判定し、正規の識別情報であると判定した場合、特典画像を前記印画物作成装置へ送信し、
前記印画物作成装置が、前記利用者を撮影して顔画像を生成し、前記顔画像を前記サーバへ送信し、前記サーバから受信した前記特典画像を印画物にプリントして出力し、
前記サーバが、前記顔画像を、前記識別情報に対応する会員情報に紐付けて保存し、前記顔画像及び前記会員情報を用いてＩＤカード用画像を生成し、
前記ＩＤカード用画像をカード基材に印刷してＩＤカードを作成することを特徴とするＩＤカード作成方法。
【請求項６】
利用者から識別情報の入力を受け付ける入力部と、
前記利用者を撮影し、顔画像を生成する撮影部と、
前記識別情報をサーバへ送信し、前記サーバから前記識別情報が正規の識別情報であるという判定結果と共に特典画像を受信し、前記サーバへ前記顔画像を送信する通信部と、
前記特典画像を印画物にプリントして出力するプリンタと、
を備える印画物作成装置。
【発明の詳細な説明】
【技術分野】
【０００１】
本発明は、顔画像が印画されたＩＤカードを作成するＩＤカード作成システム及びＩＤカード作成方法に関する。また、本発明はＩＤカード用の顔画像を撮影すると共に印画物を作成する印画物作成装置に関する。
【背景技術】
【０００２】
会員証、社員証、免許証、学生証といったＩＤカードが普及している。このＩＤカードには、識別情報としてのＩＤ番号、登録者本人の氏名などの他に、登録者本人の顔画像が印刷されており、高い個人識別能力を有する。
【０００３】
近年、コンサートやライブのチケットを高額に不正転売することが問題になっている。不正転売対策として、顔写真付きのファンクラブ会員証を発行し、チケット券面に購入者氏名の印字を行い、コンサート会場で顔写真付き会員証を用いた本人確認を行うことが検討されている。
【０００４】
顔写真付き会員証を作成するためには、チケット購入者（ファンクラブ会員）の顔画像を撮影し、管理サーバに登録する必要がある。しかし、顔画像の撮影に手間がかかるため、顔写真付き会員証の発行を行わない会員がいた。また、会員自身が、スマートフォン等で自分の顔画像を撮影した場合、本人確認を行うには不適当な画像となることがあった。本人確認に不適当な画像とは、例えば、正面を向いていない顔画像、明るすぎる又は暗すぎる顔画像などである。
【先行技術文献】
【特許文献】
【０００５】
【特許文献１】特開２００７−２２６２９８号公報
【発明の概要】
【発明が解決しようとする課題】
【０００６】
本発明は、上記従来の実状に鑑みてなされたものであり、顔写真付きのＩＤカードの発行を促すことができるＩＤカード作成システム、ＩＤカード作成方法、及び印画物作成装置を提供することを目的とする。
【課題を解決するための手段】
【０００７】
本発明のＩＤカード作成システムは、利用者を撮影する印画物作成装置及びサーバを備えるＩＤカード作成システムであって、前記印画物作成装置は、利用者から識別情報の入力を受け付け、前記利用者を撮影して顔画像を生成し、前記顔画像及び前記識別情報を前記サーバへ送信し、前記サーバから受信した特典画像を印画物にプリントして出力し、前記サーバは、登録会員の氏名及び会員番号を含む会員情報を保存し、前記特典画像を前記印画物作成装置へ送信し、前記印画物作成装置から前記顔画像及び前記識別情報を受信すると、前記顔画像を、前記識別情報に対応する会員情報に紐付けて保存し、前記顔画像及び前記会員情報を用いてＩＤカード用画像を生成するものである。
【０００８】
本発明の一態様では、前記印画物作成装置は、入力された識別情報を前記サーバへ送信し、前記サーバは、前記印画物作成装置から前記識別情報を受信すると、前記会員情報を用いて正規の識別情報であるか否か判定し、正規の識別情報である場合、前記特典画像を前記印画物作成装置へ送信する。
【０００９】
本発明の一態様では、前記印画物作成装置は、利用者から非会員用の会員登録モードの選択を受け付けると、前記サーバに対して仮会員番号を要求し、前記サーバから仮会員番号及び前記特典画像を受信し、前記利用者を撮影して顔画像を生成し、前記顔画像及び前記識別情報を前記サーバへ送信し、前記サーバから受信した特典画像を印画物にプリントして出力し、前記サーバは前記印画物作成装置からの要求に応じて前記仮会員番号を生成し、前記印画物作成装置から受信した前記顔画像及び前記仮会員番号を対応付けて保存する。
【００１０】
本発明の一態様では、前記サーバは、ユーザ端末から前記仮会員番号及び前記利用者の氏名を含む本人情報と共に会員登録要求を受け付けると、前記仮会員番号に対応する前記顔画像と前記本人情報とを用いてＩＤカード用画像を生成する。
【００１１】
本発明のＩＤカード作成方法は、印画物作成装置が利用者から識別情報の入力を受け付け、前記識別情報をサーバへ送信し、登録会員の氏名及び会員番号を含む会員情報を保存する前記サーバが、前記会員情報を用いて、前記印画物作成装置から受信した前記識別情報が正規の識別情報であるか否か判定し、正規の識別情報であると判定した場合、特典画像を前記印画物作成装置へ送信し、前記印画物作成装置が、前記利用者を撮影して顔画像を生成し、前記顔画像を前記サーバへ送信し、前記サーバから受信した前記特典画像を印画物にプリントして出力し、前記サーバが、前記顔画像を、前記識別情報に対応する会員情報に紐付けて保存し、前記顔画像及び前記会員情報を用いてＩＤカード用画像を生成し、前記ＩＤカード用画像をカード基材に印刷してＩＤカードを作成するものである。
【００１２】
本発明の印画物作成装置は、利用者から識別情報の入力を受け付ける入力部と、前記利用者を撮影し、顔画像を生成する撮影部と、前記識別情報をサーバへ送信し、前記サーバから前記識別情報が正規の識別情報であるという判定結果と共に特典画像を受信し、前記サーバへ前記顔画像を送信する通信部と、前記特典画像を印画物にプリントして出力するプリンタと、を備えるものである。
【発明の効果】
【００１３】
本発明によれば、顔写真付きのＩＤカード、例えば、顔写真付きの会員証の発行を促すことができる。顔写真付き会員証と、購入者氏名が記載されたチケットと組み合わせることで、コンサート会場で本人確認を行い、チケット不正転売を防止することができる。
【図面の簡単な説明】
【００１４】
【図１】本発明の実施形態に係るＩＤカード作成システムの概略図である。
【図２】同実施形態に係る印画物作成装置の概略構成図である。
【図３】演算制御装置のハードウェア構成図である。
【図４】会員証発行プログラムを実行することで実現される機能ブロック図である。
【図５】同実施形態に係るサーバの概略構成図である。
【図６】同実施形態に係るＩＤカード作成方法を説明するシーケンス図である。
【図７】別の実施形態に係るＩＤカード作成方法を説明するシーケンス図である。
【発明を実施するための形態】
【００１５】
以下、本発明の実施の形態を図面に基づいて説明する。
【００１６】
図１は本発明の実施形態に係るＩＤカード作成システムの概略構成図である。図１に示すように、ＩＤカード作成システムは、印画物作成装置１及びサーバ２を備える。印画物作成装置１とサーバ２とはインターネット等のネットワークを介して通信可能に接続されている。印画物作成装置１は、撮影装置、ストロボ、プリンタ等を備えたボックス型の写真撮影装置である。以下の実施形態では、アーティストのファンクラブに会員登録済みの利用者Ｐが、顔写真付き会員証を発行する例について説明する。
【００１７】
利用者Ｐが印画物作成装置１にファンクラブ会員番号等の識別情報を入力すると、印画物作成装置１は、入力された識別情報をサーバ２に通知し、利用者Ｐがファンクラブの会員であるか否かを問い合わせる。サーバ２は、会員情報を管理しており、印画物作成装置１から通知された識別情報と会員情報とを照合する。識別情報が正規のものである場合、サーバ２は、照合結果と共に、特典画像データを印画物作成装置１へ送信する。
【００１８】
印画物作成装置１は、識別情報が正規のものであるという照合結果をサーバ２から受信すると、利用者Ｐの顔を撮影し、顔画像データをサーバ２へ送信する。印画物作成装置１は、撮影処理後、サーバ２から受信した特典画像を印画物（印画紙）にプリントして出力する。例えば、特典画像はアーティストのプレミアム画像であり、印画物作成装置１は、ブロマイド５を作成する。
【００１９】
サーバ２は、印画物作成装置１から利用者Ｐの顔画像を受信すると、会員情報と対応付けて保存する。サーバ２は、利用者Ｐの氏名や会員番号、顔画像を含む会員証用画像を生成し、工場３へ送信する。工場３に設置されたカードプリンタが、会員証用画像をカード基材に印刷して、顔写真４０の付いた会員証４を作成する。顔写真付き会員証４は、利用者Ｐの登録住所へ配送される。
【００２０】
印画物作成装置１で顔写真付き会員証４のための顔画像を撮影すると、プレミアム画像が印刷されたブロマイド５が得られることから、利用者Ｐは積極的に印画物作成装置１を利用して、顔画像を撮影する。撮影された顔画像はサーバ２へ送信され、顔写真付き会員証４が発行される。このように、本実施形態に係るＩＤカード作成システムによれば、利用者Ｐに対し、顔写真付き会員証４（顔写真付きのＩＤカード）の発行を促すことができる。
【００２１】
顔写真付き会員証４は、コンサート会場での本人確認に用いることができ、購入者氏名が記載されたチケットと組み合わせることで、チケット不正転売の防止につながる。また、この顔写真付き会員証４は、運転免許証やパスポート等の顔写真付きの本人確認書類と比較して容易に発行することができるため、多くのチケット購入者（コンサート観覧者）に普及させることができる。
【００２２】
図２は、印画物作成装置１の概略構成を示す。印画物作成装置１は、演算制御装置１０と、利用者Ｐを撮影する撮影装置１２と、印画物をプリントするプリンタ１４と、撮影装置１２が利用者Ｐを撮影する際に利用者Ｐに光を照射するストロボ１５と、サーバ２との通信を行う通信部１６とを備える。また、印画物作成装置１は、利用者Ｐから各種指示を受け付けるタッチパネル１３を備えている。さらに、印画物作成装置１には、利用者Ｐが撮影の代金として支払う貨幣を受け入れたり、釣銭を払い出したりする課金部（図示せず）が設けられている。
【００２３】
印画物作成装置１には、二次元コード等を読み取るコード読取部１７が設けられていてもよい。
【００２４】
撮影装置１２は、例えばデジタルカメラであり、レンズ、シャッタ、ＣＭＯＳセンサ、Ａ／Ｄ変換器等を有する。撮影装置１２が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、顔画像データを生成する。撮影装置１２は、顔画像データを演算制御装置１０へ出力する。
【００２５】
タッチパネル１３は、操作ボタンを表示し、操作ボタンが押されると、その操作ボタンに対応した操作指示を受け付ける。
【００２６】
演算制御装置１０は、撮影装置１２、タッチパネル１３、プリンタ１４、ストロボ１５、通信部１６、コード読取部１７及び課金部に接続されており、各部の制御やデータの受け渡しを行う。
【００２７】
図５に、演算制御装置１０のハードウェア構成を示す。演算制御装置１０は、ＣＰＵ（中央演算処理部）１０１、メインメモリ１０２、記憶装置１０３、及び入出力部１０４を有する。演算制御装置１０の各部はバスを介して接続されている。
【００２８】
記憶装置１０３は、制御プログラム及び会員証発行プログラムを格納する。記憶装置１０３は例えばフラッシュメモリ等の不揮発性メモリや、ハードディスクドライブ等である。
【００２９】
ＣＰＵ１０１は、制御プログラムをメインメモリ１０２にロードして実行することで、印画物作成装置１の各部を制御する制御部として機能する。
【００３０】
また、ＣＰＵ１０１が会員証発行プログラムをメインメモリ１０２にロードして実行することで、図４に示すように、識別情報入力部１１１、問合せ処理部１１２、撮影処理部１１３、画像送信処理部１１４及びプリント処理部１１５が実現される。
【００３１】
識別情報入力部１１１は、タッチパネル１３又はコード読取部１７を介して、利用者Ｐから識別情報の入力を受け付ける。利用者Ｐは、ファンクラブ等から事前に通知されている識別情報を入力する。識別情報は、会員番号、ランダムな文字列、又はこれらの組み合わせ等である。識別情報は、タッチパネル１３に表示されたキーボード画面をタッチして入力してもよいし、識別情報を示す二次元コードをコード読取部１７にかざして読み取らせてもよい。
【００３２】
問合せ処理部１１２は、利用者Ｐから入力された識別情報を、通信部１６を用いてサーバ２に通知し、正規の識別情報であるか否か問い合わせる。識別情報が正規のものであった場合、問合せ処理部１１２は、サーバ２から照合結果と共に特典画像データを受信する。
【００３３】
撮影処理部１１３は、撮影装置１２及びストロボ１５を制御して、利用者Ｐの撮影処理を行い、利用者Ｐの顔画像データを取得する。画像送信処理部１１４は、通信部１６を用いて、取得した顔画像データを、識別情報と共にサーバ２へ送信する。
【００３４】
プリント処理部１１５は、入出力部１０４を介して、特典画像データをプリンタ１４へ出力する。
【００３５】
プリンタ１４は、演算制御装置１０から受け取った特典画像を用紙に印画して出力する。プリンタ１４のプリント方式は特に限定されず、インクジェット方式、昇華型熱転写方式、溶融型熱転写方式等を用いることができる。
【００３６】
図５は、サーバ２の概略構成を示す。サーバ２は、通信処理部２１、照合部２２、会員証発行処理部２３、及び記憶部２４を有し、例えばコンピュータで構成される。記憶部２４は、会員情報及び特典画像データを保存する。会員情報は、会員の氏名、住所、会員番号を含む。また、印画物作成装置１に入力する識別情報が会員番号でない場合は、識別情報が会員情報に対応付けて保存される。
【００３７】
通信処理部２１は、印画物作成装置１や工場３と通信処理を行い、データの送受信を行う。
【００３８】
通信処理部２１が、印画物作成装置１から識別情報を受信すると、照合部２２が記憶部２４に保存されている会員情報（識別情報）と照合し、正規の識別情報であるか否か判定する。正規の識別情報であると判定した場合、通信処理部２１は、照合結果と共に、記憶部２４内の特典画像データを印画物作成装置１へ送信する。
【００３９】
通信処理部２１が、印画物作成装置１から顔画像データ及び識別情報を受信すると、顔画像データは会員情報と対応付けて記憶部２４に保存される。
【００４０】
会員証発行処理部２３は、顔画像データが登録された会員（印画物作成装置１で撮影を行った利用者Ｐ）について、氏名や会員番号、顔画像を含む会員証用画像を生成する。通信処理部２１は、会員証用画像を工場３へ送信する。
【００４１】
このようなＩＤカード作成システムを用いて顔写真付き会員証を作成する方法を、図６に示すシーケンス図を用いて説明する。
【００４２】
利用者Ｐが、印画物作成装置１のタッチパネル１３を操作し、会員証用顔写真撮影モードを選択すると、タッチパネル１３に識別情報の入力画面が表示される。利用者Ｐは、タッチパネル１３を操作して、識別情報を入力する（ステップＳ１）。利用者Ｐは、コード読取部１７に二次元コードをかざして識別情報を読み取らせてもよい。
【００４３】
印画物作成装置１は、入力された識別情報をサーバ２へ送信し、正規の識別情報であるか否かを問い合わせる（ステップＳ２）。サーバ２は、印画物作成装置１から受信した識別情報と、管理している会員情報とを照合し（ステップＳ３）、照合結果を応答する（ステップＳ４）。識別情報が正規のものである場合、サーバ２は照合結果と共に特典画像データを印画物作成装置１へ送信する。
【００４４】
印画物作成装置１は、識別情報が正規のものであるという照合結果を受信すると、課金処理を行い（ステップＳ５）、利用者Ｐの撮影を行う（ステップＳ６）。課金処理は省略してもよい。撮影した顔画像をタッチパネル１３にプレビュー表示し、利用者Ｐの要求に応じて撮り直しを行えるようにしてもよい。印画物作成装置１は、撮影により生成された利用者Ｐの顔画像データと、識別情報とをサーバ２へ送信する（ステップＳ７）。
【００４５】
印画物作成装置１は、サーバ２から受信した特典画像データを印画紙にプリントして、印画物を作成する（ステップＳ８）。特典画像がアーティスト等の有名人の画像である場合、印画物作成装置１はブロマイド５を出力する。
【００４６】
サーバ２は、印画物作成装置１から受信した顔画像データを会員情報に紐付けて登録する（ステップＳ９）。
【００４７】
サーバ２は、会員の氏名や会員番号、顔画像等を合成して会員証用画像を生成し（ステップＳ１０）、工場３へ送信する（ステップＳ１１）。
【００４８】
工場３で、会員証用画像をカード基材にプリントし、顔写真付き会員証４が作成される（ステップＳ１２）。
【００４９】
このように、本実施形態によれば、顔写真付き会員証４のための顔画像を撮影すると、プレミアム画像が印刷されたブロマイド５が出力されるため、利用者Ｐは積極的に印画物作成装置１を利用して、顔画像を撮影する。また、ボックス型の写真撮影装置である印画物作成装置１で利用者Ｐを撮影するため、本人確認に好適な顔画像を取得することができる。
【００５０】
上記実施形態では、利用者Ｐが既に会員登録済みの場合、すなわちサーバ２に会員情報が登録され、利用者Ｐが識別情報の通知を受け取っている場合において、顔写真付き会員証を発行する例について説明したが、未だ会員登録を行っていない利用者Ｐが、会員登録前に顔写真付き会員証のための顔画像の撮影を行えるようにしてもよい。
【００５１】
未だ会員登録を行っていない利用者Ｐが、顔写真付き会員証を作成する方法を、図７に示すシーケンス図を用いて説明する。
【００５２】
利用者Ｐが、印画物作成装置１のタッチパネル１３を操作し、非会員用の会員登録モードを選択すると（ステップＳ２１）、印画物作成装置１はサーバ２に対して仮会員番号の発行を要求する（ステップＳ２２）。
【００５３】
サーバ２は、仮会員番号を生成し、印画物作成装置１へ仮会員番号及び特典画像データを送信する（ステップＳ２３，Ｓ２４）。印画物作成装置１は、仮会員番号を受信すると、課金処理を行い（ステップＳ２５）、利用者Ｐの撮影を行う（ステップＳ２６）。印画物作成装置１は、撮影により生成された利用者Ｐの顔画像データと、仮会員番号とをサーバ２へ送信する（ステップＳ２７）。
【００５４】
印画物作成装置１は、サーバ２から受信した特典画像データ及び仮会員番号を印画紙にプリントして、印画物を作成する（ステップＳ２８）。例えば、印画物作成装置１は、アーティスト等の有名人の画像を印画紙にプリントしてブロマイド５を作成する。特典画像と仮会員番号とは別の印画紙にプリントしてもよい。仮会員番号と共に、会員登録サイトのＵＲＬや会員登録方法をプリントしてもよい。会員登録サイトのＵＲＬや会員登録方法は、仮会員番号と共にサーバ２から送信してもよいし、予め印画物作成装置１に登録しておいてもよい。仮会員番号やＵＲＬを示す二次元コードをプリントしてもよい。
【００５５】
サーバ２は、印画物作成装置１から受信した顔画像データを仮会員番号に紐付けて登録する（ステップＳ２９）。
【００５６】
利用者Ｐは、スマートフォン等のユーザ端末６（図１参照）を用いて、会員登録サイト（サーバ２のホームページ）にアクセスし、会員登録を要求する（ステップＳ３０）。サーバ２は、利用者Ｐの氏名、住所、仮会員番号等を含む本人情報を要求する（ステップＳ３１）。利用者Ｐが、ユーザ端末６を操作し、入力画面に本人情報を入力する（ステップＳ３２）。利用者Ｐは、印画物作成装置１で作成された印画物にプリントされている仮会員番号を入力する。二次元コードを読み取ることで仮会員番号を入力してもよい。
【００５７】
サーバ２は、ユーザ端末６から本人情報を取得すると（ステップＳ３３）、会員登録を行い、正規の会員番号を発行する（ステップＳ３４）。また、サーバ２は、仮会員番号を用いて、ステップＳ２９で登録した顔画像データを会員番号に対応付ける。
【００５８】
サーバ２は、会員の氏名や会員番号、顔画像等を合成して会員証用画像を生成し（ステップＳ３５）、工場３へ送信する（ステップＳ３６）。工場３で、会員証用画像をカード基材にプリントし、顔写真付き会員証４が作成される（ステップＳ３７）。
【００５９】
このように、顔写真付き会員証４のための顔画像を撮影すると、プレミアム画像が印刷されたブロマイド５が得られるため、非会員である利用者Ｐは、積極的に印画物作成装置１を利用して顔画像を撮影する。非会員の利用者Ｐに対し、会員登録及び顔写真付き会員証の発行を促すことができる。
【００６０】
印画物作成装置１で撮影を行った後、一定期間内に会員登録が行われない場合、ステップＳ２９でサーバ２に登録された顔画像データを消去してもよい。
【００６１】
特典画像は、アーティスト等の有名人の画像には限定されず、有名人画像と、印画物作成装置１で撮影した利用者の画像とを合成した画像でもよい。また、例えば、グッズ引換券の画像でもよい。利用者Ｐは、印画物作成装置１から出力されたグッズ引換券（グッズ引換券画像がプリントされた印画物）を所定の引換所へ持って行き、限定グッズと交換することができる。
【００６２】
利用者Ｐが印画物作成装置１で複数回撮影を行った場合、サーバ２は最新の顔画像を用いて会員証用画像を作成することが好ましい。
【００６３】
上記実施形態では、コード読取部１７が二次元コードを読み取ることで識別情報が入力される例について説明したが、磁気カードやＩＣカードを読み込むカードリーダを設けてもよい。例えば、顔写真の付いていない旧会員証が磁気カードやＩＣカードからなる場合、旧会員証をカードリーダにかざし、読み込ませることで、識別情報を入力することができる。
【００６４】
上記実施形態では、アーティストのファンクラブの顔写真付き会員証を発行する例について説明したが、ファンクラブの会員証に限定されず、顔写真付きの様々なＩＤカードの発行に適用できる。
【００６５】
上記実施の形態はいずれも本発明の一例であり、本発明は図示以外の形態とされてもよい。
【符号の説明】
【００６６】
１  印画物作成装置
２  サーバ
３  工場
４  顔写真付き会員証
【図１】
2019023807.tif 000003
【図２】
2019023807.tif 000004
【図３】
2019023807.tif 000005
【図４】
2019023807.tif 000006
【図５】
2019023807.tif 000007
【図６】
2019023807.tif 000008
【図７】
2019023807.tif 000009